(57)【要約】【課題】人間生活にはズボン下、靴下の使用は不可欠であるが、特に高齢者に於いては体力の低下により、動脈硬化、心臓機能低下等により血流力が低下する、人間の最もむくみ易いところは医学的に足首とされている、日常生活にはズボン下、特に靴下は欠かせないが共にゴム編み部があり足首を締め付け状態になり種々の弊害が生じる。【解決手段】足首むくみ血流保護具の外部保護板はズボン下、靴下のゴム編み円周圧力に耐える強度を有し、且つ足首肌に適当な間隙を設けるため先ず保温用生地をフリー状に軽く巻き、更に外部保護板を足首より僅か太くマジックテープ（登録商標）で固定すれば、完全にゴム編み圧力を遮断し血流を維持することにより当然むくみも無くなり安心して生活できる。【選択図】  図4
2010263968.tif 000002
【特許請求の範囲】
【請求項１】
足首保護板は多数空気孔板を含む、強度は靴下のゴム編み部、ズボン下ゴム編み部の拘束圧力に変形しない硬度を有する、ゴム、合成ゴム、人造皮革、軟質樹脂板、等の足首保護薄板を足首円錘形状に合わせ皮膚に対し僅か間隙を設け、暖房生地を介し緩く巻きつける、両端にはアジャスト可能に凹形面テープ広幅を外端に縫着又は接着し、凸形面テープ短幅を反対側内端に縫着又は接着する、足首保護板展開平面長さの中間に凹形面テープ短幅を縫着又は接着する。
足首むくみ血流保護具と皮膚との間隙は冬季では冷える爲、皮膚保温用生地としてやや腰のある例えば、フェルト、遠赤外線加工生地、暖房生地を足首保護具の上下縦寸法より夫々1センチメートル乃至1.5センチメートル長くし、長方の中央に短幅凸面テープを縫合又は接着することにより保護具との着脱を容易にし、足首皮膚に拘束力無く巻きつけ足首を無理なく保温できる、又夏季に於いては吸湿乾性生地、麻綿等に変更することが出来る。
以上の条件を満たした足首むくみ血流保護具。
【発明の詳細な説明】
【技術分野】
【０００１】
人間の身体は心臓機能低下、動脈硬化、腎臓病、血流不全等種々の原因によって下肢への血流不良が水分循環不全となり、最も顕著に足首むくみ現象となる。
特に靴下、ズボン下の着用は生活上必須である、周知の如く靴下、ズボン下にはゴム編み部があり夫々足首を締め付ける様出来ている。
【０００２】
人間日々の生活は立ち仕事、椅子の腰掛仕事が殆どで足首えの血流条件は良好とは言えない、加えて足首をゴム編みで締め付ければ当然足指への血流が阻害されむくみ症状になり、むくめば血管を圧迫し、水分が滞留しむくみ増加悪条件の繰り返しとなり、更に脚や指先の冷感に関連し、精神的負担、不快感、歩行困難、能率低下、等生活上大きい障害となる。
【背景技術】
【０００３】
むくみに苦しむ人には、靴下、ズボン下のゴム編み部のゴムを切断して使用する人も居るが完全な対策にはならない、対応策としては夜就寝時足元をやや高くする程度で、昼間の対応策には、女子用緊迫用ロング靴下が販売されているが着脱困難で、一般的には適さない。
【０００４】
一般的足サポーターは、足首、すね関節の補強を目的とし本発明とは目的が全く異なり、足首血流阻害むくみ防止には役に立たない。
高齢者、一般女性、病的むくみ患者、等はこの装具により靴下、ズボン下を安心して着用できる、足首むくみ血流保護具を提供する。
以下特許公開文献においては何れも足首の固定固着締め付けを目的として居る。
本発明は、靴下、ズボン下ゴム編み部の足首に対する収縮圧力を遮断し、むくみ血流保護を目的とし、足首肌との間隙を温暖生地介在せしめてあり、夫々構造目的は全く相反する。
【先行技術文献】
【特許文献】
【０００５】
【特許文献１】特許公開2009―057651号公報
【特許文献２】特許公開2004−337483号公報
【特許文献３】特許公開平11―342143号公報
【発明の概要】
【発明が解決しようとする課題】
【０００６】
本発明は、足首の血流阻害、むくみ防止に関し足首に対する外圧、例えばズボン下、靴下のゴム編み部による締め付けによる足首血流不良に基づくむくみ発生予防、既にむくんだ足首保護によりズボン下、靴下のゴム圧力を遮断、安心して夫々を着用できる。
【０００７】
むくみ発生による精神的苦痛、下肢指先全般の冷感、身体能力低下、繰り返しによる症状悪化、歩行困難、等々を防止する為足首えのゴム編み部、外周圧力を完全に遮断する装置が重要である、医学的に人体構造状むくみの出来易い部位は足首とされている。
【課題を解決するための手段】
【０００８】
足首保護板は多数空気孔板を含む、強度は靴下のゴム編み部、ズボン下ゴム編み部の拘束圧力に変形しない硬度を有する、ゴム、合成ゴム、人造皮革、軟質樹脂板、等の足首保護薄板を足首円錘形状に合わせ皮膚に対し僅か間隙を設け、暖房生地を介し緩く巻きつける、両端にはアジャスト可能に凹形面テープ広幅を外端に縫着又は接着し、凸形面テープ短幅を反対側内端に縫着又は接着する、足首保護板展開平面長さの中間に凹形面テープ短幅を縫着又は接着する。
足首むくみ血流保護具と皮膚との間隙は冬季では冷える爲、皮膚保温用生地としてやや腰のある例えば、フェルト、遠赤外線加工生地、暖房生地を足首保護具の上下縦寸法より夫々1センチメートル乃至1.5センチメートル長くし、長方の中央に短幅凸面テープを縫合又は接着することにより保護具との着脱を容易にし、足首皮膚に拘束力無く巻きつけ足首を無理なく保温できる、又夏季に於いては吸湿乾性生地、麻綿等に変更することが出来る。
以上の条件を満たした足首むくみ血流保護具。
【発明の効果】
【０００９】
本発明は最もむくみの出易い足首を、靴下ゴム、ズボン下ゴム、の圧力より遮断保護すると共に皮膚の保温生地介在により、血行を良くし（むくみ）を防止総ての靴下を安心して着用できる。
【図面の簡単な説明】
【００１０】
【図１】足首保護具の内側平面図。
【図２】足首保護具の外側平面図。
【図３】保温生地の平面図。
【図４】足首むくみ血流保護具を足首に装着、ズボン下、靴下を装着した拡大断面図で実物はもっと細くなる。
【図５】足首むくみ血流保護具の断面図。
【図６】足首にむくみ血流保護具の巻付状態図。
【発明を実施するための形態】
【００１１】
図示する如く足むくみ血流防止具着用に関しては、人夫々足首の太さ、角度、長さが異なる為円錐角度をやや強くし3広幅マジックテープ（登録商標）凹幅を広くすれば足首の大小に対応できる。
特別形状足首にも比較的簡単に適応する事が出来る。
【００１２】
要介護者等種々原因でむくみが生じるが、特に足首むくみは避けがたい、日常生活には絶対靴下の着用は必要であるが、完全なむくみ対策は無い。
現在販売中のゴム緩め靴下、緊迫ロング靴下、等は人夫々には適応出来ず、むくみ原因は水分の滞留であり、緩めだけでは対応出来ない、少しでも拘束すれば血行不良原因で足先冷感に関連する。
足首むくみ血流保護具は簡単に着用出来、足首圧迫絶無且つ保温効果も優れ総ての靴下利用可能、便利で健康維持が出来て、簡単且つ量産可能、特に高齢者足首のむくみ保護には最適である。
【００１３】
ズボン下、靴下のゴム編み部は各メーカーがゴム強度は略一定している、一部ゴム編みを弱くしているものは、ずれ下がり一般的ではない、弾性ハイソックスは着用強度を強くしている為、着脱困難で病理的患者には不向きで高価である、一般靴下利用者は止む無くゴムを適宜切断し対応している、切断したゴム編み部の強度は当然弱くなりずれ落ち、適応は出来ないし難しい。
足首保護具は多々あるが、足首血流保護、むくみ防止とは全く相反し役には立たない。
【００１４】
足首の保全に重要な点はズボン下、靴下の、ゴム編み部の圧力を足首に全く加える事無くガードし且つゴム編みを其の儘使用出来ることにある、又肌に接触生地は冬保温用、夏吸湿乾用の両方取替え簡単、季節に対応可能である。
【００１５】
示する保護板1材質はゴム、合成ゴム、人造皮革、等反発力を有し薄く且つゴム硬度はズボン下、靴下、ゴム編み編み部円周圧力に変形しない機能を持ち四周の切断角を2パイピング縫合、皮膚との接触可能とし、足首円錐状展開板とする、展開板長方の外側一端に3広幅マジックテープ（登録商標）凹を縫合又は接着し反対内側には4短幅マジックテープ（登録商標）凸を縫合又は接着する、保温生地取り着け用5マジックテープ（登録商標）凹を展開板（保護板）の略中央に縫合又は接着する、其の理由保護板はゴムの輪圧を肌より遮断し間隙を調整出来る6暖房生地を肌に巻きつけるが保護生地の略中央に7マジックテープ（登録商標）凸を縫合又は接着する。
固定を複数にすると足首に保護具を装着した場合生地に皺が生じ良くない生地は常に肌と触れることにより保温効果を生じる、又生地を拘束しては皺が出来肌と生地に空間が出来て保温効果に良くない、当発明は肌と生地はフリーであり常に生地は肌と接触している。
保温生地縦幅は保護板より上下とも1センチ乃至1.5センチ長くする、其の目的は保護板が肌の部位に接触しない様クッションの役目をする為である。
以上の構造により靴下ズボン下ゴム編み部の圧力を完全にガードし、高齢者、血行不良、むくみで困る人等々安心して夫々を着用することが出来る足首むくみ血流保護具である。
【符号の説明】
【００１６】
1外部保護板
2保護板四周パイピング縫合。
3外側マジックテープ（登録商標）凹広幅。
4内側マジックテープ（登録商標）凸短幅。
5保温生地取付け用マジックテープ（登録商標）凹型。
6保温生地。
7保温生地取付け用マジックテープ（登録商標）凸型。
【図１】
2010263968.tif 000003
【図２】
2010263968.tif 000004
【図３】
2010263968.tif 000005
【図４】
2010263968.tif 000006
【図５】
2010263968.tif 000007
【図６】
2010263968.tif 000008